(57)【要約】【課題】  容易かつ簡単なワンタッチ操作でしかも片方の手毎に消毒並びに殺菌が行える掌除菌用スプレー容器を提供する。【解決手段】  スプレー容器１には殺菌剤等の薬液と加圧流体とが充填されており、スプレー容器から伸びるバルブステム１１を背面側に嵌挿されたカップ状のノズルボタン４が，上方に伸びる実質的に円筒形のフード５と、その内部においてノズルボタンの底部６の中心位置から上方に突出した先端部にノズルヘッド８を嵌挿された円筒状のノズル支持部７とが一体的形成されている。使用者が広げた掌Ｈで枠体の上端縁部を覆うと同時に下方に向けて押圧すると、ノズルヘッドから薬液ミストがフード内に噴射されると共にフード上に広げた掌に薬剤が付着する。【選択図】    図１
2005021879.tif 000002
【特許請求の範囲】
【請求項１】
殺菌剤等の薬液と加圧流体とが充填されたスプレー容器と、上方に伸びる円筒形のフードを備えかつ前記スプレー容器から伸びるバルブステムをその底部背面側に嵌挿されたカップ状のノズルボタンとを有し、前記フードの内部において前記ノズルボタンの底部から上方に突出した円筒状のノズル支持部と、該ノズル支持部の先端に嵌挿されて薬液ミストを拡散噴射可能な噴口を備えたノズルヘッドとから成り、
使用者が、前記フード部分に掌を広げて当てがいかつ該ノズルボタンを下方に押圧することにより、前記噴口から薬液が掌部分に拡散噴霧されて塗布されるように成したことを特徴とする掌除菌用スプレー容器。
【請求項２】
前記容器の上端部分に取付けられかつ前記ノズルボタンの外周を取り囲むように設けられた円筒形の枠体と、
前記枠体の上端部に被嵌されたキャップとを有し、
更に、前記ノズルボタンが、前記枠体枠体を越えて伸びていることを特徴とする請求項１に記載の掌除菌用スプレー容器。
【請求項３】
前記容器には、前記ノズルボタンの全体を覆うように、取外し可能なキャップが設けられていることを特徴とする請求項１に記載の掌除菌用スプレー容器。
【請求項４】
前記ノズルボタンが、前記ノズルボタンの内部において前記ノズル支持部と共に画成される環状凹所内に、余った薬液を含浸吸収するための吸湿材が配設されていることを特徴とする請求項１〜３の内の何れか１項に記載の掌除菌用スプレー容器。
【請求項５】
前記ノズルヘッドが、前記フードの上方部分全体に向かって拡散する噴射領域を有する広角噴口を備えていることを特徴とする請求項１〜４の内の何れか１項に記載の掌除菌用スプレー容器。
【請求項６】
前記ノズルヘッドが、前記フードの上方部分全体に向かって拡散する噴射領域を有する円錐状噴口を備えていることを特徴とする請求項１〜４の内の何れか１項に記載の掌除菌用スプレー容器。
【請求項７】
前記ノズルヘッドが、スプリンクラー型の回転ノズル部分を備えていることを特徴とする請求項１〜４の内の何れか１項に記載の掌除菌用スプレー容器。
【発明の詳細な説明】
【技術分野】
【０００１】
本発明は、エアゾール溶液として殺菌剤等の薬液を使用し、使用者の掌（手の平）を広げて直接ノズルボタンのフードの上方部分を覆いかつノズルボタンを押圧するだけで、霧状の薬液が掌全体に拡散噴霧されて塗布されるワンタッチ式の掌除菌用スプレー容器に関する。
【背景技術】
【０００２】
従来、このような薬液を掌に付着させて消毒する一般的な方法としては、薬液入りスプレー缶を持った一方の手指でノズルボタンを押し、平らに広げた他方の手に直接殺菌剤を噴霧するという単純な方法によって行われていたが、病院等の医療施設においては、消毒液の入った手動ポンプ容器が病室の出入り口に備え付けられており、使用者が病室の出入りに際し、一方の手指で容器上端部に設けられた押しボタンにあてがい、予め広げた他方の掌を押しボタン側部に設けられた噴射孔にかざし、次いで一方の手指で押しボタンを操作することで広げられた他方の掌に薬液を噴霧し、更に、両手指を充分に擦り合わせることで掌全体に満遍なく掌に付着した薬液を拡散することで消毒及び殺菌を行うと言った作業が行われてきた。
【発明の開示】
【発明が解決しようとする課題】
【０００３】
しかしながら、このような作業は両手を煩わせることとなり、一方の手が塞がっている場合には、かかる作業はなはだ不都合であり、その煩わしさ故に消毒し損ねてしまう場合もある。このような状況に鑑みて一方の手のみで噴霧操作と同時に消毒もワンタッチで行えるといった容器は未だ提案されていない。
【０００４】
そこで、本発明は、容易かつ簡単な構造のワンタッチ操作によりしかも片方の手毎に十分な消毒並びに殺菌が行えるエアゾール容器を提供することを目的とする。
【課題を解決するための手段】
【０００５】
上記した目的は、本発明によると、殺菌剤等の薬液と加圧流体とが充填されたスプレー容器と、上方に伸びる円筒形のフードを備えかつ前記スプレー容器から伸びるバルブステムをその底部背面側に嵌挿されたカップ状のノズルボタンとを有し、前記フードの内部において前記ノズルボタンの底部から上方に突出した円筒状のノズル支持部と、該ノズル支持部の先端に嵌挿されて薬液ミストを拡散噴射可能な噴口を備えたノズルヘッドとから成り、使用者が、前記フード部分に掌を広げて当てがいかつ該ノズルボタンを下方に押圧することにより、前記噴口から薬液が掌部分に拡散噴霧されて塗布されるように成したことを特徴とする掌除菌用スプレー容器を提供することにより達成される。
【０００６】
このような構成を備えた本発明による掌除菌用スプレー容器は、殺菌剤等の薬液と液化プロパンガスの如き加圧流体とを混合した液体がエアゾールの形で充填されており、このスプレー容器の上端においてバルブステムに取着されたカップ状のノズルボタンは、使用者が、前記フード部分に広げた掌を当てがいかつノズルボタンを下方に押圧することにより、噴口から薬液が掌部分に拡散噴霧されて塗布される。ノズル支持部の先端部には薬液をミストの形で実質的に３６０度の角度範囲に亘って拡散噴射可能な噴口が穿設されたノズルヘッドが嵌挿されている。
【０００７】
実際の使用に際して、使用者はフードの上端開口部分全体を覆う形で掌を広げた状態であてがうと共にノズルボタンを下方に押動すると、スプレー容器内部の薬液がバルブステムから加圧流体と共に円筒状のノズル支持部内部を貫通してノズルヘッドに送り出され、容器内に充填された気液混合体は、フードで囲まれかつ使用者の掌で覆われた閉鎖空間内に、噴口から上方に向けて薬液ミストとして噴霧され、その結果、使用者の掌には薬液が満遍なく付着する。
【０００８】
使用者の手指全体の消毒並びに殺菌を行うには、基本的には上記した操作を左右の掌毎に繰り返せばよいのであるが、両方の掌全体に薬液を完全に行き渡らせようとする場合は、使用者は薬液を塗布した一方の手指を他方の手指と共にハンドクリームを塗る要領で互いに擦り合わせることにより、一層薬液が満遍なく手指全体に行き渡り完全な消毒及び殺菌が行えることとなる。
【０００９】
また、本発明による掌除菌用スプレー容器は、前記容器の上端部分に取付けられかつ前記ノズルボタンの外周を取り囲むように設けられた円筒形の枠体と、前記枠体の上端部に被嵌されたキャップとを有し、更に、前記ノズルボタンが、前記枠体枠体を越えて伸びていることを特徴としている。かかる構成により、枠体はノズルボタンの軸方向に沿った所定の行程距離における上下運動を規定するので、横方向に傾斜したノズルボタンの押動は回避され、バルブステムは使用時には常に所定の長さの上下動をのみ受けて作動することとなり、バルブステムに不具合を生ずる危惧は完全に回避される。さらに、この円筒形の枠体の上端部にキャップを被せるように成したことで、完全なノズルボタンの密封性が得られることで、不使用時或いは商品陳列時における安全性並びに清潔性は十分に確保される。
【００１０】
さらに、本発明による掌除菌用スプレー容器は、前記ノズルボタンの全体を覆うように、取外し可能なキャップが設けられていることを特徴としている。かかる構成により、上記した如き、不使用時或いは商品陳列時における安全性並びに清潔性を確保すると同時に、簡単な構成であるので組み立てが容易であり、製造上の費用を大幅に削減できる。
【００１１】
また、本発明による掌除菌用スプレー容器は、前記ノズルボタンが、前記ノズルボタンの内部において前記ノズル支持部と共に画成される環状凹所内に、余った薬液を含浸吸収するための吸湿材が配設されている。かかる構成を備えた本発明による掌除菌用スプレー容器は、吸湿材を環状凹所内に配設することで、使用時に掌に付着しなかった薬液ミスト及びフードの内周面に付着した薬液を吸収することとなるので、容器を持ち運ぶ際に傾けたりひっくり返したりしても、これら余分な薬液が外部に漏出することが防止出来る。吸湿材の表面は容器の不使用時には大気に晒されるので吸湿した薬液は大気中に蒸散されるので、長期の使用が可能である。勿論、薬液の異常に多量な噴射により、吸湿材が余分な薬液で飽和してしまった場合には、別途、新しいものに交換することも容易である。
【００１２】
さらに、本発明による掌除菌用スプレー容器は、前記ノズルヘッドが、前記フードの上方部分全体に向かって拡散する噴射領域を有する広角噴口を備えている。かかる本発明によるスプレー容器の構成により、ノズルヘッドから斜め上方に向けて噴射される薬液ミストの大半がフードの上端縁部分を塞ぐ使用者の掌全体に向けて拡散されるので、薬液はフードを覆う掌の表面全体に斑を生ずることなく付着する。
【００１３】
また、本発明による掌除菌用スプレー容器は、前記ノズルヘッドが、前記フードの上方部分全体に向かって拡散する噴射領域を有する円錐状噴口を備えている。かかる構成を備えた本発明による掌除菌用スプレー容器により、ノズルの斜め上向きに設けられた環状のオリフィス噴口によって、薬液ミストの拡散が実質的に円形のフード端面全域に及ぶことで、広範囲に斑の無い薬液散布が可能となり、従って高効率かつ経済的な薬液散布が行える。
【００１４】
最後に、本発明による掌除菌用スプレー容器は、前記ノズルヘッドが、スプリンクラー型の回転ノズル部分を備えている。かかる構成を備えた本発明による掌除菌用スプレー容器により、容器内に加圧充填された気液混合体によって直径方向に伸びる回転ノズル部分が回転されることにより、ノズル部分両端部が形成する回転円の接線に沿って互いに反対方向に向いた各噴口から拡散噴射される回転運動を伴った薬液ミストは、より短時間で多量の薬液を効率良く均一に使用者の掌に付着させることが可能である。従って、使用者は掌を極めて短時間フードの上に置くのみで所定量のかつ斑の無い薬液付着が行えることとなる。
【発明の効果】
【００１５】
以上の如く、本発明による掌除菌用スプレー容器は、容易かつ簡単な構造のワンタッチ操作によりしかも片方の手毎に十分な消毒並びに殺菌が行えると言った効果が得られる。
【００１６】
以下、本発明による掌除菌用スプレー容器の実施例を図面に基づいて詳細に説明する。
【発明を実施するための最良の形態】
【００１７】
図１は本発明による掌除菌用スプレー容器の使用状態を示す斜視図、図２は図１に示した掌除菌用スプレー容器の要部縦断面図、図３は本発明による掌除菌用スプレー容器に使用される広角噴口を備えたノズルヘッドの縦断面図、図４は本発明による掌除菌用スプレー容器に使用される円錐状噴口を備えたノズルヘッドの縦断面図である。図５はスプリンクラー型の回転式ノズルヘッドの縦断面図である。
【００１８】
図１及び図２を参照すると、本発明による掌除菌用スプレー容器１は、殺菌剤或いは通常の消毒液等の薬液を加圧流体と共に混入したエアゾールが充填されている。勿論、本発明による掌除菌用スプレー容器は除菌目的のみに限定されるものではなく、手あれ防止用のトリートメント液、化粧水、香水液等の液体を加圧流体と共に封入したエアゾール液にも適用可能である。
【００１９】
ノズルボタン４自体は、上方に伸びる実質的に円筒形のフード５を一体的に備えておりかつその底部６の背面６１には、スプレー容器１から伸びる内部に貫通路７３が形成されたバルブステム１１が嵌挿されている。さらに、ノズルボタン４は、フード５の内部においてその底部５２の中心位置から一体的に上方に突出した円筒状のノズル支持部７を備えている。
【００２０】
ノズル支持部７の先端部７１には実質的に３６０度の角度範囲に亘って斜め上方に向けて薬液ミストを噴射可能な噴口８ｂを有する管状体であるノズルヘッド８が嵌挿されている。図２において示されたノズルヘッド８は一般的な管状体であって、その長さ方向中心部分には小径の貫通孔８ａが穿設されている。
【００２１】
使用時において、使用者の掌Ｈによりフード５の上端縁部５３が下方に向けて押圧されると、ノズルボタン４がバルブステム１１と共に枠体２に対して下方に押動され、その結果、スプレー容器１の内部の薬液がバルブステム１１から加圧されたエアゾールと共に円筒状のノズル支持部７の貫通路７３を通ってノズルヘッド８の貫通孔８ａに送り出される。そして、かかる薬液が混合されたエアゾールは、噴口８ｂからフード５で囲まれかつ使用者の掌Ｈで覆われた、概ね閉鎖された空間内に薬液ミストとして概ね上方に向けて噴射される。
【００２２】
実際の使用に際して、使用者は先ず枠体２に取付けられているキャップ３を取り外し、次いで、ノズルボタン４のフード５の上端縁部５３を覆うように広げた掌Ｈでこのフード５を下方に向けて押圧する。かかる操作によりノズルヘッド８の噴口８ｂから噴射されたミスト状の薬液は使用者の掌及び手指に塗布されるが、その際、手指部分を上端縁部５３から若干上方に離すようにしておくと、手指全体に薬液が噴射されることとなる。その後、使用者はハンドクリームを塗る要領で両手指を互いに擦り合わせることで、塗布された薬液は両方の手指に満遍なく行き渡ることとなる。
【００２３】
図２から明らかなように、スプレー容器１の上端部分には、円筒形の枠体２が嵌め込まれている。またその上端縁の一部は、使用者が通常の使用の際に添えられる手Ｈの角度を考慮した逃がし用スペースを形成するために、湾曲した切欠き２１が設けられている。また、この枠体２の上部には不使用時におけるカップ状のノズルボタン４の内部を清潔な状態に保つためのキャップ３が取外し可能に被嵌されている。しかし、単に清潔な状態に保つためのみを考慮するならば、スプレー容器の上端縁部に嵌め外し可能なキャップを直接取付ける構成も製造を簡素化する意味で有益である。
【００２４】
本発明による掌除菌用スプレー容器１はまた、使用時に掌に付着しなかった薬液ミスト及びフード５の内周面に付着した薬液を処分するために、ノズルボタン４の内部でフード５とノズル支持部７及びノズルボタンの底部６とで画成される環状凹所４０内に、これら余分な薬液を含浸吸収させるための円環状のスポンジ等が好ましい吸湿材９が配設されている。
【００２５】
吸湿材９を環状凹所５４内に配設することで、スプレー容器１を持ち運ぶ際に傾けたり或いはひっくり返したりしても、これら余分な薬液が吸湿材に吸収されるので、薬液が外部に漏出することは防止される。また、吸湿材９の表面は容器１のキャップ３を外した状態では大気に晒されるので吸湿した薬液の大半は大気中に蒸散されるので、吸湿材９の長期の使用が可能である。勿論、極めて多量の薬液の噴射により、吸湿材９が余分な薬液で飽和してしまった場合には交換が必要であるが、直ちに新しいものと交換するか或いは水洗して乾燥し、その後再利用することも可能である。
【００２６】
図１及び図２に示したように、本発明による掌除菌用スプレー容器は、ノズルヘッド８として、単なる管状体を使用しているが、異なった形態のノズルヘッドの使用も可能である。それらは、実質的に３６０度の角度範囲に亘って斜め上方に向けて薬液ミストを噴射可能な噴口を備えてさえいれば適用可能であり、それらの内の幾つかの例を図３乃至５に示している。なお、本発明による掌除菌用スプレー容器１は、これら種々の形状並びに構造を備えたノズルヘッドを提供することを主眼とするものではないことは銘記されるべきである。
【００２７】
次に、図３に従って別の形式のノズルヘッド９０に就いて説明する。かかるノズルヘッド９０は、一方においてノズル支持部７の先端部７１の端部開口内を加工し、他方において加工された端部開口内に嵌挿されるカップ状部９２ａと円柱部分９２ｂとで基本的に一体構成される中子９２を嵌挿することによって形成されている。ノズル支持部７の先端部７１は、その内部において、半径方向内方に突出した環状肩部７２によって貫通路７３を縮径する狭窄部７４が形成されており、そしてこの環状肩部７２からノズル支持部７の自由端７９に至る先端部７１の軸方向部分がノズルヘッド９０を形成する一方の構成要素として利用される。
【００２８】
先端部７１における貫通路７３の内周面は、上記した環状肩部７２から軸方向長さを有する第１円筒壁７５、それに連なる第１テーパ壁７６、第１円筒壁７５より大きな直径を有する第２円筒壁７７、更に第２円筒壁から自由端７９に連なる一方のオリフィス面を形成している第２テーパ壁７８へと中心軸線Ａに沿って順次連成されている。他方、ノズルヘッド９０を形成する他方の構成要素である中子９２は、概ねこれら第１円筒壁７５に倣った輪郭を有する円柱部９２ｂと開放端７９の半径方向内側部分を構成しかつ第２円筒壁７７及び第２テーパ壁７８に倣った輪郭を有するカップ状部９２ａとが軸方向に沿って連成された形を有していて、円柱部９２ｂの内方端部は、実質的に貫通路７３内に突出する環状肩部７２に当接して軸方向移動を規制されている。
【００２９】
更に、中子９２は、狭窄部７４に連なる開放端側の貫通路７３内に環状スペース９３を介して位置付けられている。円柱部分９２ｂの外周面には直径方向或いは半径方向に伸びる複数本のリブ９６が設けられており、これらのリブは環状スペース９３を幾つかの円弧状スペースに周方向に分割していると共に、それらの後端において円柱部分９２ｂの内方端部を横切って軸方向に延長し、環状肩部７２に直接当接している。かかるリブ９６の配置によって、狭窄部７４から流入する高圧の薬液エアゾールを円柱部分９２ｂと第１円筒壁７５で画成された環状スペース９３内に案内することとなる。
【００３０】
円錐形の第２テーパ壁７８とこれに対応する中子９２の先端部分を構成するカップ状部９２ａの円錐状の外周面９９との間に形成された狭いオリフィス通路を通って外周噴口９１が自由端７９で開放している。一方、中央噴口９５が中子９２を構成するカップ状部９２ａの半径方向中心位置に逆円錐台形状に大きく窪んで設けられた凹所９８の底面９７における中心位置に開口しており、更にこの中央オリフィス噴口９５は、カップ状部９２ａと円柱部９２ｂとの間で直径方向に貫通している横孔９４に連通しており、この横孔９４は環状スペース９３の下流の貫通路７３に開放している。なお、横孔９４の軸方向位置は上記した第１テーパ壁７６と第２円筒壁７７との接続部位である第１テーパ壁７６に対応する形で中心軸線Ａに直交して設けられている。
【００３１】
中子９２のカップ状部９２ａの大きく円錐台形状に窪んだ凹所９８の底面中央に開口する中央噴口９５によって、もう１つのこの中央噴口を取巻く外周噴口９１が生成する円錐形の薬液ミストの拡散噴射を行うのに対し、その中心領域への指向性噴射を行い、これら２つの噴口から実際には同時に噴射される薬液ミストは、使用時にフード５の上端縁部５３にかざされた使用者の掌に薬液ミストを斑無くかつ迅速に付着させることが出来る。
【００３２】
このような２種類の噴口を備えたノズルヘッド９０の構成により、薬液ミストの拡散角度は第２テーパ壁７８の壁面円錐度に依存して正確に設定されることが可能であり、この角度から外側に外れた領域におけるミストの飛散は極めて少量に限定され、実質的に２つのオリフィス噴口９１及び９５から噴射される薬液ミストは概ね逆円錐形状に拡散するので、使用者の掌に向かって無駄のない薬液散布が可能となり、従って、高効率かつ経済的な薬液散布が行える。
【００３３】
図４に従って、もう１つの構造を備えた固定式のノズルヘッド１００に就いて以下に説明する。ノズルヘッド１００は、ノズル支持部７の先端部７１における貫通路１０７内に直接嵌挿され、先端部７１の自由端７９には環状の停止面１０２ａが当接してノズルヘッド１００の軸方向移動を阻止されている。かかるノズルヘッド１００は、停止面１０２ａの後方に伸びる円筒状の後端部１０４と、同じく停止面１０２ａから前方に伸びる円筒状の軸承部１０５を介してこの軸承部から半径方向に拡開する擂鉢状の台座部１０２と、軸承部１０５に嵌挿された軸頚部１１０を中心に台座部１０２の上で平行に茸状に拡開したフランジ部１１１を備えた中子１０３とから構成されており、かつ、これらは中心軸線Ａに沿って配置されている。この台座部１０２の先端面は円錐傾斜面となっていてフランジ部１１１の裏面と共にオリフィス通路１０１ａを形成している。従って、台座部１０２とフランジ部１１１の外周端縁において、環状のかつ斜め上方に向いた噴口１０１が形成されることとなる。
【００３４】
前記した後端部１０４と軸承部１０５との境界部分に形成された停止面１０２ａの内側において、貫通路１０７を流通するエアゾールの流れを規制するように半径方向内方に伸びる環状肩部１０６によって画成された貫通路１０７を縮径する狭窄部１０８が形成されている。そして、この環状肩部１０６には上記した中子１０３の中心軸線に沿って一体的に後方に伸びる軸頚部１１０の後端面が当接している。上記したフランジ部１１１と台座部１０２の円錐傾斜面とで画成されるオリフィス通路１０１ａのための僅かな軸方向離間距離を確保している。
【００３５】
この軸頚部１１０と円筒状の軸承部１０９とは、軸方向及び半径方向に固定するために、軸頚部１１０の外周面から放射状に伸びる複数本のリブ１０９が軸方向に沿って伸びており、これらリブ１０９は軸承部１０５の内周面に対して強固に嵌合し中子１０３を台座部１０２に確実に固定している。従って、後端部１０４の内腔内から送られてきたエアゾールは、狭窄部１０８を通り軸承部１０５内にこれらのリブ１０９によって周方向に複数個に分割された円弧状の狭い隙間を通過してオリフィス通路１０７ａに送られ、最終的に環状の噴口１０１から円錐状の薬剤ミストとなってフード５内に拡散されることとなる。
【００３６】
次に、図５を参照してスプリンクラー型の回転式ノズルヘッド８０に就いて説明する。ノズルヘッド８０は、下端部８５をノズル支持部７の先端部７１における貫通路１０７内に回転可能に嵌挿された中空のノズルステム８２を備えると共に、その上端には中心軸線Ａに対して左右対称に斜め上方に向けて分岐する１対の同じく中空のアーム部８４，８４を備えている。ノズルステム８２はその先端部分８２ａに設けられたネジ山を左右アーム部の中間に位置する継手部分８６に穿設されたネジ溝８６ａ内に捩じ込むことによって一体的にＴ字型を成すように組み立てられている。
【００３７】
ノズルステム８２の下端部８５には外周突起８７が設けられており、この外周突起８７は先端部７１の自由端７９上で回転可能に当接しており、同時にノズルステム８２の下方への軸方向移動を規制している。さらに、ノズルステム８２の上方への軸方向移動を規制すると同時に、ノズルステムを回転加能に密封保持するために、円周フランジ８９の中央部に軸受穴８８ａが穿設された軸受キャップ８２がネジ切りされた先端部７１に外側から螺合している。そして軸受キャップはその内周面に軸方向凹所８８ｂが穿設されており、外周突起８７を自由端７９と円周フランジ８９との間で軸方向移動可能な状態で保持している。
【００３８】
従って、ノズルステム８２は先端部７１に対して抜脱不能かつ回転可能に軸受キャップ８８によって保持されることとなる。このことは、ノズル支持部７１の貫通路１０７内にエアゾール圧力が作用しても、ノズルステム８２は中空であるので、その圧力は軸受部８６に穿設された軸方向通路８６ｂを通って左右のアーム部８４内に形成された貯留室８４ａに到達することとなる。なお、外周突起８７の外径寸法は先端部７１の外径寸法を超えないように設計せねばならない。その理由は、軸受キャップ８８の取付用ネジ穴を通過出来なくなり、先端部７１への取付けが不能になるからである。
【００３９】
一方、中空構造の左右のアーム部８４は、実質的に閉鎖された外端面８３ａを有するスリーブキャップ８３を被嵌されており、この外端面８３ａには斜め上方に向けた切欠き面８３ｂが設けられておりかつその面に対し垂直に噴口８１が穿設されている。左右のスリーブキャップ８３に各々設けられた切欠き面８３ｂ及び噴口８１の相対的位置関係は、アームの共通中心軸線Ｂから平面で見て円周方向に僅かに外れた直径線上の点対称位置において、互いに背反する接線方向成分を有しかつ斜め上方に向けて配設されている。
【００４０】
従って、ノズルステム８２から加圧されたエアゾールが左右のアーム部８４の貯留室８４ａ内に流入し、各々の噴口８１を通って薬液ミストが斜め上方へ噴射される。そのことにより、ノズルヘッド８０は噴射ミストが含む接線方向エネルギによりスプリンクラーのように回転することとなる。しかしながら、かかるノズルヘッド８０の回転運動を伴った薬液ミストの散布は、大きな回転トルクを必要とし、その分、短時間でより多量の加圧されたエアゾールを必要とするので、多量の薬液ミストの噴射を必要とする場合に効果的である。このことは掌への薬液の塗布時間が短縮され、同時に回転運動を伴った噴射により多量の薬液ミストがフード内で拡散されるので、付着斑の発生も回避されると共に極めて短時間で薬液塗布が行われることとなる。
【図面の簡単な説明】
【００４１】
【図１】本発明による掌除菌用スプレー容器の使用状態を示す斜視図である。
【図２】図１に示した掌除菌用スプレー容器の要部縦断面図である。
【図３】本発明による掌除菌用スプレー容器に使用される広角噴口を備えたノズルヘッドの部分縦断面図である。
【図４】本発明による掌除菌用スプレー容器に使用される円錐状噴口を備えたノズルヘッドの部分縦断面図である。
【図５】スプリンクラー型の回転式ノズルヘッドの縦断面図である。
【符号の説明】
【００４２】
１    スプレー容器
２    枠体
３    キャップ
４    ノズルボタン
５    フード
６    底部
７    ノズル支持部
８    ノズルヘッド
９    吸湿材
１０    回転式ノズル
１１    バルブステム
８０    ノズルヘッド
９０    ノズルヘッド
１００    ノズルヘッド
【図１】
2005021879.tif 000003
【図２】
2005021879.tif 000004
【図３】
2005021879.tif 000005
【図４】
2005021879.tif 000006
【図５】
2005021879.tif 000007